(57)【要約】      （修正有）【課題】殺菌作用と脱臭作用を有する殺菌マスクを提供する。【解決手段】殺菌マスクは、銀含有繊維と竹繊維を含む殺菌層１１０と、第１フィルタ層１２０とを含み、更に、第２フィルタ層１３０、および外表層１４０を含む。第１フィルタ層１２０は、ナノファイバー繊維である。殺菌層１１０は、複数の銀イオン、特にナノオーダーの銀イオンを含む。第１フィルタ層１２０は、ナノファイバー層と不織布を更に含む。【選択図】図２
0003223707.tif 000002
【実用新案登録請求の範囲】
【請求項１】
銀含有繊維であり、竹繊維を更に含む殺菌層と、
前記殺菌層に配置され、ナノファイバー繊維である第１フィルタ層と、を含む殺菌マスク。
【請求項２】
前記殺菌層が複数の銀イオンを含む、請求項１に記載の殺菌マスク。
【請求項３】
前記銀イオンがナノサイズの銀イオンである、請求項２に記載の殺菌マスク。
【請求項４】
前記第１フィルタ層がナノファイバー繊維を少なくとも含む、請求項１に記載の殺菌マスク。
【請求項５】
前記第１フィルタ層が不織布をさらに含む、請求項１に記載の殺菌マスク。
【請求項６】
第２フィルタ層をさらに含む、請求項１に記載の殺菌マスク。
【請求項７】
外表層をさらに含む、請求項１に記載の殺菌マスク。
【考案の詳細な説明】
【技術分野】
【０００１】
本考案は、殺菌マスクに関し、特に、銀含有繊維を使用することにより殺菌作用、減菌作用及び抗菌効果を有する殺菌マスクに関する。
【背景技術】
【０００２】
空気は、人間の生活の基本的な要素の1つであり、生命には空気が不可欠である。しかし、人間の産業と技術の発展に伴い、現代の大気汚染は深刻になり続けており、肉眼では確認することができないものの、空気中のＰＭ２．５と細菌の濃度は徐々に上昇している。
【０００３】
調査によると、２０１６年に肺がんは罹患率と死亡率が最も高いがんとなり、一般に理解されている腸がんまたは肝臓がんを超えている。また、喫煙や飲酒などの悪習慣を持たない患者が増えており、大気汚染が肺がんの発生率を高めることが多くの研究で指摘されている。
【０００４】
徐々に深刻化する大気汚染に向き合うため、マスクを着用することが直接的な予防手段であるが、マスクの種類は多数あり、機能も同じではない。ほとんどのマスクはＰＭ２．５をある程度隔絶する能力を有しているが、それらのほとんどは隔絶するだけで、殺菌作用を有していない。また、マスクはほとんどが織物製品であるため、長時間の使用ではマスク内で細菌が増殖し、使用者の健康に有害となることもある。
【０００５】
そこで、上記の問題を解決する上で、マスク内の残留細菌の問題を克服することは、当業者が考えるべきこととなっている。
【先行技術文献】
【特許文献】
【０００６】
【特許文献１】特開２０００−２８８１０６号公報
【考案の概要】
【考案が解決しようとする課題】
【０００７】
本考案は、上記の現状に鑑みてなされたものであり、その目的とするところは、不良物質をブロックする多層フィルタ層が備えることにより、銀イオンを含む繊維の殺菌作用を利用し、マスクに殺菌効果を有する殺菌マスクを提供することにある。
【課題を解決するための手段】
【０００８】
本考案が提供する殺菌マスクは、殺菌層と第１フィルタ層とを含み、殺菌層は、銀含有繊維である。第１フィルタ層は、ナノファイバー繊維である。
【０００９】
上記の殺菌マスクにおいて、前記殺菌層は複数の銀イオンを含む。
【００１０】
上記の殺菌マスクにおいて、前記銀イオンはナノオーダーの銀イオンである。
【００１１】
上記の殺菌マスクにおいて、前記第１フィルタ層は、少なくとも１つのナノファイバー層を含む。
【００１２】
上記の殺菌マスクにおいて、前記第１フィルタ層は、不織布をさらに含む、
【００１３】
上記の殺菌マスクにおいて、第２フィルタ層をさらに含む。
【００１４】
上記の殺菌マスクにおいて、外表層をさらに含む。
【００１５】
上記の殺菌マスクにおいて、殺菌層が竹繊維をさらに含む。
【考案の効果】
【００１６】
本考案の有益効果は、マスクに殺菌と脱臭の作用があることである。
【図面の簡単な説明】
【００１７】
【図１】本考案の殺菌マスクを示す図である。
【図２】殺菌マスクの分層構造を示す図である。
【考案を実施するための形態】
【００１８】
本考案の上記の目的、特徴および利点を分かり易くするため、以下に実施例により図面を合わせて、詳細に説明する。注意すべきこととして、図面中の各部材は、説明のためであり、各部材の実際の割合に合わせて図示してはいない。
【００１９】
図１を参照し、図１が示すのは、本考案の殺菌マスクである。本考案は、多層設計であり且つ、その中に銀を含むファブリックを加えた殺菌マスク１００を提供し、殺菌マスク１００に不良物質を隔絶すると同時に、マスク上の細菌を消滅できるようにさせ、口の細菌がマスクを通貨又はマスク上に残留し難くさせる。
【００２０】
図２を参照し、図２に示すのは、殺菌マスクの層構造である。殺菌マスク１００は、殺菌層１１０、第１フィルタ層１２０、第２フィルタ層１３０、および外表層１４０を含む。殺菌層１１０は、殺菌マスク１００の主要構造であり、殺菌層１１０は、着用者の皮膚に比較的近い殺菌マスク１００の内部材料である。殺菌層１１０は、銀含有繊維であり、好ましくは、ナノオーダーの銀イオン弾性繊維布である。本実施例では、殺菌層１１０は、複数の銀イオンを含む。
【００２１】
銀イオンは、正電荷であるため、銀イオンが細菌と接触した後、細菌内のタンパク質の負電荷と結合し、故に銀イオンは細菌の細胞膜に浸透して細菌体内に入る。細菌に入った銀イオンは、細菌内のタンパク質を変化させ、細菌に代謝、呼吸、生殖機能を失わせ、殺菌を死亡させる。殺菌が死亡した後、銀イオンはまだ他の細菌に影響を及ぼし、それによって殺菌の機能を達成する。したがって、銀イオンは、相当な効果的な殺菌剤である。
【００２２】
本実施例の殺菌層１１０は、ナノオーダーの銀イオン弾性繊維布である。ＡＡＴＣＣ１００−２０１２方式の試験で、黄色ブドウ球菌及び肺炎桿菌に対して試験している。試験結果は、黄色ブドウ球菌に対するナノオーダー銀イオン弾性繊維布の殺菌率が９９．６％であり、肺炎桿菌に対する試験の殺菌率が９８．９％であることを示した。さらに、ナノオーダーの銀イオン弾性繊維布は、ＣＮＳ１４７７４Ｔ５０１７−２０１１９．２およびＣＮＳ１４７７５Ｔ４０３７−２００３の２つの試験を経て、黄色ブドウ球菌の殺菌テストについて、５回の試験を経て、試験結果は、ナノオーダーの銀イオン弾性繊維の黄色ブドウ球菌に対する殺菌率は、それぞれ９９．８％、９９．９％、９９．９％、９９．８％、９９．８％であることを示した。このことから、ナノオーダーの銀イオン弾性繊維布の殺菌率は１００％に近く、良好な殺菌効果があることがわかる。
【００２３】
実施例では、殺菌層１１０は、竹繊維をさらに含み、殺菌層１１０は、竹繊維６５％および銀含有繊維３５％を含む。竹繊維が殺菌層１１０に加えられ、竹繊維のマルチギャップ性質は水分を素早く吸収し、水分を蒸発させて除湿と脱臭の作用を達成することができる。したがって、銀含有繊維によって提供される殺菌作用に加えて、殺菌層１１０は除湿および脱臭の作用を提供することができる。
【００２４】
第１フィルタ層１２０は、殺菌層１１０の前に配置され、有害物質を濾過し、有害物質が殺菌マスク１００を通過するのをブロックすることができる。本実施形態では、第１フィルタ層１２０は、ナノファイバー繊維である。したがって、第１フィルタ層１２０は、不織布を含み、第１フィルタ層１２０は、不織布をベースとし、第１フィルタ層１２０は、さらにナノファイバー層を含み、ナノファイバー層は、少なくとも、親水性ポリマーまたは疎水性ポリマーを含む。実施例では、ナノファイバー層は、親水性ポリマーと疎水性ポリマーを同時に含むこともできる。
【００２５】
ナノファイバー層では、親水性ポリマーと疎水性ポリマーが重なり合わせて織られ、ナノファイバー層の面積を全体的に覆い、不織布上に配置されて第１フィルタ層１２０を完成する。親水性ポリマーと疎水性ポリマーの重なりと織り合わせにより、第１フィルタ層１２０に、例えば、細菌、ダニ、ＰＭ２．５粒子などの大部分の不良物質をブロックすることができる。
【００２６】
本考案の第１フィルタ層１２０は、ＦＴＴＳ−ＦＰ−１５７で試験され、定格ガス流量は８５ＬＰＭ；試験面積１００ｃｍ２；温度２６±２°Ｃ；湿度４３±５％；エアロゾル種は、塩化カリウム（ＫＣｌ）の条件下で試験され、３回試験される。試験結果は、粒子径２．５μｍ（すなわちＰＭ２．５）に対する第１フィルタ層１２０のろ過効率がそれぞれ９７．９１％、９６．８８％、および９６．６７％であり、平均ろ過率が９７．１５％であることを示した。第１フィルタ層１２０が大多数のＰＭ２．５粒子および細菌をブロックできることを実証できる。従って、ろ過により第１フィルタ層１２０に残った細菌は、隣接する殺菌層１１０によって消滅される。
【００２７】
第２フィルタ層１３０は、Ｎ９５レベルのフィルタファブリックである。Ｎ９５レベルは、ＮＩＯＳＨ（アメリア国立労働安全衛生研究所）Ｎ９５規範に準拠したフィルタファブリックを指し、即ち、ＮＩＯＳＨによって制定された試験標準の下で、非油性粒子に対して９５％のろ過効率を達成することでＮ９５レベルと称されることができる。したがって、第２フィルタ層１３０は、大まかに不良物質、特に、細菌及びウイルス等の不良物質をブロックできる。ろ過によって第２フィルタ層１３０に残っている細菌およびウイルスは、隣接する殺菌層１１０によって消滅される。
【００２８】
外表層１４０は、殺菌マスク１００の最外層に配置され、殺菌マスク１００全体を覆い、空気と接触している。本実施例では、外面層１４０は、弾性繊維布であり、殺菌マスク１００に弾性を持たせることができ、使用者が殺菌マスク１００を着用する時、更に皮膚と密着させ、殺菌マスク１００が不良物質をブロック及び消滅させる効果を確保できる。
【００２９】
阻隔作用のみを有する従来のマスクとは異なり、本考案の殺菌マスク１００は、大多数の有害物質をろ過することができる第１フィルタ層１２０および第２フィルタ層１３０を有し、銀イオンを含む繊維が殺菌層１１０として用い、殺菌マスク１００を通過しようとする細菌、第１フィルタ層１２０および第２フィルタ層１３０上に停留する細菌を有効に消滅させ、殺菌、抗菌および減菌効果を達成する。殺菌マスク１００は、紫外線、ダニ、ＰＭ２．５、砂塵、自動車排気ガス、アレルゲン、花粉、様々な細菌、カビ、ウイルスなどの不良物質をブロックすることができる。したがって、本考案の殺菌マスク１００は、医療サービスを行う際に医師が使用する病院での使用に特に適しており、医師が細菌の多い環境に曝されたときに細菌の侵入を回避することができる。
【００３０】
以上の説明は、本考案の好ましい実施形態に過ぎず、本考案に対して何ら限定を行うものではない。本考案について、比較的好ましい実施形態として上記のとおり開示したが、これは本考案を限定するものではなく、すべての当業者が、本考案の技術構想を逸脱しない範囲において、本考案の技術の本質に基づいて上記の実施形態に対して行ういかなる簡単な修正、変更及び修飾も、依然としてすべて本考案の技術構想の範囲内にある。
【符号の説明】
【００３１】
１００  殺菌マスク
１１０  殺菌層
１２０  第１フィルタ層
１３０  第２フィルタ層
１４０  外表層
【図１】
0003223707.tif 000003
【図２】
0003223707.tif 000004